(57)【要約】【課題】ログアウト忘れを抑制でき、かつ、ユーザの意図に合わないタイミングで動作モードが第２モードから第１モードに切り替わることを抑制できる、複合機を提供する。【解決手段】選択操作が行われる前にログイン操作が行われた場合（Ｓ１１：ＹＥＳ）、ログイン処理の実行後（Ｓ１２）、ログアウト操作が行われたことに応じてログアウト処理が実行される（Ｓ１４，Ｓ１６））。ログイン処理では、動作モードが第１モードから第２モードに切り替えられる。ログアウト処理では、動作モードが第２モードから第１モードに切り替えられる。一方、選択操作が行われた後にログイン操作が行われた場合（Ｓ２２：ＹＥＳ）、ログイン処理の実行後（Ｓ２５）、ジョブが終了したことに応じてログアウト処理が実行される（Ｓ２０，Ｓ２１，Ｓ１６）。【選択図】図２
2018088623.tif 000002
【特許請求の範囲】
【請求項１】
シートに画像を形成する画像形成部と、
原稿の画像を読み取る画像読取部と、
操作を受け付ける受付部と、
表示部と、
制御部と
を備える複合機であって、
前記操作には、ログイン操作、ログアウト操作、前記画像形成部または前記画像読取部の少なくとも一方を使用してジョブを実行する複数種類のジョブ実行機能のうちの一の種類のジョブ実行機能を選択する選択操作、および前記複数種類のジョブ実行機能のうち前記選択操作により選択されたジョブ実行機能によるジョブの実行を指示する実行指示操作が含まれ、
前記制御部は、前記複合機の動作モードを、
前記受付部に前記実行指示操作を受付不能な第１モードと、
前記受付部に前記実行指示操作を受付可能な第２モードと
に切り替え可能であり、
前記制御部は、
前記受付部に前記選択操作を受け付ける前において、第１画面を前記表示部に表示させる第１表示処理と、
前記第１画面の表示中に前記受付部に前記選択操作を受け付けたことに応じて、前記第１画面と異なる第２画面を前記表示部に表示させる第２表示処理と、
前記ログイン操作により前記動作モードを前記第１モードから前記第２モードに切り替えるログイン処理と、
前記動作モードを前記第２モードから前記第１モードに切り替えるログアウト処理と
を実行し、
前記制御部は、さらに、
前記第１画面の表示中に前記受付部に前記ログイン操作を受け付けた場合、前記ログイン処理を実行し、その後、前記受付部に前記ログアウト操作を受け付けたことに応じて、前記ログアウト処理を実行し、
前記第２画面の表示中に前記受付部に前記ログイン操作を受け付けた場合、前記ログイン処理を実行し、その後、前記第１画面の表示中に前記受付部に受け付けた前記選択操作により選択されたジョブ実行機能によるジョブが終了したことに応じて、前記ログアウト処理を実行する、複合機。
【請求項２】
シートに画像を形成する画像形成部と、
原稿の画像を読み取る画像読取部と、
操作を受け付ける受付部と、
表示部と、
制御部と
を備える複合機であって、
前記操作には、ログイン操作、ログアウト操作、前記画像形成部または前記画像読取部の少なくとも一方を使用してジョブを実行する複数種類のジョブ実行機能のうちの一の種類のジョブ実行機能を選択する選択操作、前記選択操作により前記ジョブ実行機能が選択された状態の終了を指示する選択終了操作、および前記選択操作により選択されたジョブ実行機能によるジョブの実行を指示する実行指示操作が含まれ、
前記制御部は、前記複合機の動作モードを、
前記受付部に前記実行指示操作を受付不可能な第１モードと、
前記受付部に前記実行指示操作を受付可能な第２モードと
に切り替え可能であり、
前記制御部は、
前記受付部に前記選択操作を受け付ける前において、第１画面を前記表示部に表示させる第１表示処理と、
前記第１画面の表示中に前記受付部に前記選択操作を受け付けたことに応じて、前記第１画面と異なる第２画面を前記表示部に表示させる第２表示処理と、
前記第２画面の表示中に前記受付部に前記ログイン操作を受け付けたことに応じて、前記第１画面および前記第２画面の両方と異なる第３画面を前記表示部に表示させる第３表示処理と、
前記ログイン操作により前記動作モードを前記第１モードから前記第２モードに切り替えるログイン処理と、
前記動作モードを前記第２モードから前記第１モードに切り替えるログアウト処理と
を実行し、
前記制御部は、さらに、
前記第１画面の表示中に前記受付部に前記ログイン操作を受け付けた場合、前記ログイン処理を実行し、その後、前記受付部に前記ログアウト操作を受け付けたことに応じて、前記ログアウト処理を実行し、
前記第２画面の表示中に前記受付部に前記ログイン操作を受け付けた場合、前記ログイン処理と前記第３表示処理を実行し、その後、前記第１画面の表示中に前記受付部に受け付けた前記選択操作により選択されたジョブ実行機能によるジョブが終了した後、前記動作モードを前記第２モードのまま待機させ、前記第３画面の表示中に前記受付部に前記選択終了操作を受け付けたことに応じて、前記ログアウト処理を実行する、複合機。
【請求項３】
請求項２に記載の複合機であって、
前記制御部は、
前記ジョブの実行中、前記第１画面、前記第２画面および前記第３画面のいずれとも異なる第５画面を前記表示部に表示させる第５表示処理と、
前記ジョブの実行が終了したことに応じて、前記表示部の表示を前記第５画面から前記第３画面に切り替える第５表示処理と
を実行する、複合機。
【請求項４】
シートに画像を形成する画像形成部と、
原稿の画像を読み取る画像読取部と、
操作を受け付ける受付部と、
表示部と、
制御部と
を備える複合機であって、
前記受付部が受け付ける操作には、ログイン操作、ログアウト操作、前記画像形成部または前記画像読取部の少なくとも一方を使用するジョブを実行する複数種類のジョブ実行機能のうちの一の種類の前記ジョブ実行機能を選択する選択操作、前記選択操作により前記ジョブ実行機能が選択された状態の終了を指示する選択終了操作、前記選択操作により選択された前記ジョブ実行機能に関する設定の完了を指示する設定完了操作、および前記選択操作により選択された前記ジョブ実行機能によるジョブの実行を指示する実行指示操作が含まれ、
前記制御部は、前記複合機の動作モードを、
前記受付部に前記実行指示操作を受付不可能な第１モードと、
前記受付部に前記実行指示操作を受付可能な第２モードと
に切り替え可能であり、
前記制御部は、
前記受付部に前記選択操作を受け付ける前において、第１画面を前記表示部に表示させる第１表示処理と、
前記第１画面の表示中に前記受付部に前記選択操作を受け付けたことに応じて、前記第１画面と異なる第２画面を前記表示部に表示させる第２表示処理と、
前記第２画面の表示中に前記受付部に前記ログイン操作を受け付けたことに応じて、前記第１画面および前記第２画面の両方と異なる第３画面を前記表示部に表示させる第３表示処理と、
前記第２画面の表示中に前記受付部に前記設定完了操作を受け付けたことに応じて、前記第１画面、前記第２画面および前記第３画面のいずれとも異なる第４画面を前記表示部に表示させる第４表示処理と、
前記動作モードを前記第１モードから前記第２モードに切り替えるログイン処理と、
前記動作モードを前記第２モードから前記第１モードに切り替えるログアウト処理と
を実行し、
前記制御部は、さらに、
前記第１画面の表示中に前記受付部に前記ログイン操作を受け付けた場合、前記ログイン処理を実行し、その後、前記受付部に前記ログアウト操作を受け付けたことに応じて、前記ログアウト処理を実行し、
前記第２画面の表示中に前記受付部に前記ログイン操作を受け付けた場合、前記ログイン処理と前記第３表示処理を実行し、その後、前記第１画面の表示中に前記受付部に受け付けた前記選択操作により選択されたジョブ実行機能によるジョブが終了した後、前記動作モードを前記第２モードのまま待機させ、前記第３画面の表示中に前記受付部に前記選択終了操作を受け付けたことに応じて、前記ログアウト処理を実行し、
前記第４画面の表示中に前記ログイン操作を受け付けた場合、前記ログイン処理を実行し、その後、前記第１画面の表示中に前記受付部に受け付けた前記選択操作により選択されたジョブ実行機能によるジョブが終了したことに応じて、前記ログアウト処理を実行する、複合機。
【請求項５】
請求項４に記載の複合機であって、
前記制御部は、
前記第２画面の表示中に前記受付部に前記ログイン操作を受け付けた場合、前記ジョブの実行中、前記第１画面、前記第２画面、前記第３画面および前記第４画面のいずれとも異なる第５画面を前記表示部に表示させる第５表示処理と、
前記第２画面の表示中に前記受付部に前記ログイン操作を受け付けた場合、前記ジョブの実行が終了したことに応じて、前記表示部の表示を前記第５画面から前記第３画面に切り替える第６表示処理と
を実行する、複合機。
【請求項６】
請求項３または５に記載の複合機であって、
前記制御部は、
前記受付部に何らの操作を受け付けずに前記第３画面が前記表示部に表示されている状態が所定時間継続したことに応じて、前記ログアウト処理を実行する、複合機。
【請求項７】
請求項１〜６のいずれか一項に記載の複合機であって、
前記制御部は、
前記第１画面の表示中に前記受付部に前記ログイン操作を受け付けた場合、前記ログイン処理の実行後、前記受付部に何らの操作を受け付けていない状態が所定時間継続したことに応じて、前記ログアウト処理を実行する、複合機。
【請求項８】
請求項１〜７のいずれか一項に記載の複合機であって、
前記受付部は、所定距離内に存在する非接触記憶媒体と無線通信を行い、前記非接触記憶媒体から識別情報を読み取る無線通信部を含み、
前記ログイン操作は、前記無線通信部に前記非接触記憶媒体から前記識別情報を読み取らせる操作である、複合機。
【請求項９】
請求項１〜８のいずれか一項に記載の複合機であって、
前記受付部は、押操作される操作部を含み、
前記ログイン操作は、前記操作部の押操作により識別情報を入力する操作である、複合機。
【請求項１０】
シートに画像を形成する画像形成部と、
原稿の画像を読み取る画像読取部と、
操作を受け付ける受付部と、
表示部と、
制御部と
を備える複合機であって、
前記操作には、ログイン操作、ログアウト操作、前記画像形成部または前記画像読取部の少なくとも一方を使用してジョブを実行する複数種類のジョブ実行機能のうちの一の種類のジョブ実行機能を選択する選択操作、および前記複数種類のジョブ実行機能のうち前記選択操作により選択されたジョブ実行機能によるジョブの実行を指示する実行指示操作が含まれ、
前記制御部は、前記複合機の動作モードを、
前記受付部に前記実行指示操作を受付不能な第１モードと、
前記受付部に前記実行指示操作を受付可能な第２モードと
に切り替え可能であり、
前記制御部は、
第１画面を前記表示部に表示させる第１表示処理と、
前記第１画面と異なる第２画面を前記表示部に表示させる第２表示処理と、
前記ログイン操作により前記動作モードを前記第１モードから前記第２モードに切り替えるログイン処理と、
前記動作モードを前記第２モードから前記第１モードに切り替えるログアウト処理と
を実行可能であり、
前記制御部は、さらに、
前記第１画面の表示中に前記受付部に前記ログイン操作を受け付けた場合は、前記ログイン処理を実行し、
前記第１画面の表示中に前記受付部に前記ログイン操作を受け付けて前記ログイン処理を実行した場合は、前記受付部に前記ログアウト操作を受け付けたことに応じて、前記ログアウト処理を実行し、
前記第１画面の表示中に前記受付部に前記選択操作を受け付けた場合は、前記第２表示処理を実行して前記表示部に前記第２画面を表示し、
前記第２画面の表示中に前記受付部に前記ログイン操作を受け付けた場合は、前記ログイン処理を実行し、
前記第２画面の表示中に前記受付部に前記ログイン操作を受け付けて前記ログイン処理を実行した場合は、前記第１画面の表示中に前記受付部に受け付けた前記選択操作により選択されたジョブ実行機能によるジョブが終了したことに応じて、前記ログアウト処理を実行する、
複合機。
【発明の詳細な説明】
【技術分野】
【０００１】
本発明は、複合機に関する。
【背景技術】
【０００２】
従来、画像形成機能および画像読取機能などを有する複合機（ＭＦＰ：Multi-Function Peripheral）として、各種の機能を使用するジョブを実行可能なユーザを制限するため、ユーザのログインに応じてジョブを受付可能になり、ユーザのログアウトに応じてジョブを受付不能になるものが知られている。
【先行技術文献】
【特許文献】
【０００３】
【特許文献１】特開２００７−２２８２０９号公報
【発明の概要】
【発明が解決しようとする課題】
【０００４】
ログイン中のユーザのログアウトの方法には、次の３通りの方法が考えられ、それぞれメリットおよびデメリットがある。
【０００５】
（１）ユーザによるログアウト操作
ＩＣカードを複合機に設けられているＩＣカードリーダにかざすなどのログイン操作によるユーザのログインの後、ＩＣカードをＩＣカードリーダに再びかざす、または複合機の表示部に表示されたログアウトボタンを押下するなどのログアウト操作により、ログイン中のユーザをログアウトさせる方法がある。この方法では、１回のログイン操作で複数のジョブを連続して実行できるメリットがある。一方、ログイン中のユーザがジョブの実行後にログアウト操作を行うことを忘れることがあり、このログアウト忘れが生じた場合、他者がログイン中のユーザに成りすましてジョブを実行できてしまうというデメリットがある。
【０００６】
（２）ジョブ実行後の自動ログアウト
ジョブの実行が完了するとログイン中のユーザを自動的にログアウトさせる方法がある。この方法では、ログアウト操作が不要であるので、ログアウト忘れを防止できるというメリットがある。一方、複数のジョブを連続して実行する場合に、１つのジョブの実行が完了する度にログイン操作が必要になるというデメリットがある。
【０００７】
（３）無操作タイムアウトによるログアウト
ログイン操作によるユーザのログインの後、ログアウト操作が行われるか、または複合機に対する何らの操作も行われない無操作状態の継続時間が一定時間に達するとユーザをログアウトさせる方法がある。この方法では、１回のログイン操作で複数のジョブを連続して実行でき、また、ログアウト忘れを防止できるというメリットがある。しかしながら、一定時間（ログアウトまでの無操作状態の継続時間）を適切に設定することが難しいというデメリットがある。一定時間が長すぎると、無操作状態の継続時間が一定時間に達することによるログアウトまでの間に、他者がログイン中のユーザに成りすましてジョブを実行できてしまう。一方、一定時間が短すぎると、ログイン中のユーザの意図に合わないタイミングでログアウトしてしまい、ユーザが新たなジョブを実行したい場合に再度のログイン操作が必要となる。
【０００８】
特許文献１に記載の先行技術では、複合機にログインしたユーザのログアウト忘れを防止するため、ジョブを登録する際に、そのジョブの実行が完了したことを契機にログアウトするか否かを予約する。しかしながら、ユーザがジョブを登録する度にログアウトを予約する操作を行うことは、ユーザにとって煩わしい。それゆえ、ユーザがログアウトの予約を忘れたり、敢えてログアウトの予約をスキップしたりする場合が考えられ、十分な効果を期待することができない。
【０００９】
本発明の目的は、ログアウト操作のし忘れ（ログアウト忘れ）を抑制でき、かつ、ユーザの意図に合わないタイミングで動作モードが第２モードから第１モードに切り替わること（ログアウト）を抑制できる、複合機を提供することである。
【課題を解決するための手段】
【００１０】
前記の目的を達成するため、本発明の一の局面に係る複合機は、シートに画像を形成する画像形成部と、原稿の画像を読み取る画像読取部と、操作を受け付ける受付部と、表示部と、制御部とを備える複合機であって、操作には、ログイン操作、ログアウト操作、画像形成部または画像読取部の少なくとも一方を使用してジョブを実行する複数種類のジョブ実行機能のうちの一の種類のジョブ実行機能を選択する選択操作、および複数種類のジョブ実行機能のうち選択操作により選択されたジョブ実行機能によるジョブの実行を指示する実行指示操作が含まれ、制御部は、複合機の動作モードを、受付部に実行指示操作を受付不能な第１モードと、受付部に実行指示操作を受付可能な第２モードとに切り替え可能であり、制御部は、受付部に選択操作を受け付ける前において、第１画面を表示部に表示させる第１表示処理と、第１画面の表示中に受付部に選択操作を受け付けたことに応じて、第１画面と異なる第２画面を表示部に表示させる第２表示処理と、ログイン操作により動作モードを第１モードから第２モードに切り替えるログイン処理と、動作モードを第２モードから第１モードに切り替えるログアウト処理とを実行し、制御部は、さらに、第１画面の表示中に受付部にログイン操作を受け付けた場合、ログイン処理を実行し、その後、受付部にログアウト操作を受け付けたことに応じて、ログアウト処理を実行し、第２画面の表示中に受付部にログイン操作を受け付けた場合、ログイン処理を実行し、その後、第１画面の表示中に受付部に受け付けた選択操作により選択されたジョブ実行機能によるジョブが終了したことに応じて、ログアウト処理を実行する。
【００１１】
また、言い換えれば、本発明の一の局面に係る複合機は、シートに画像を形成する画像形成部と、原稿の画像を読み取る画像読取部と、操作を受け付ける受付部と、表示部と、制御部とを備える複合機であって、操作には、ログイン操作、ログアウト操作、画像形成部または画像読取部の少なくとも一方を使用してジョブを実行する複数種類のジョブ実行機能のうちの一の種類のジョブ実行機能を選択する選択操作、および複数種類のジョブ実行機能のうち選択操作により選択されたジョブ実行機能によるジョブの実行を指示する実行指示操作が含まれ、制御部は、複合機の動作モードを、受付部に実行指示操作を受付不能な第１モードと、受付部に実行指示操作を受付可能な第２モードとに切り替え可能であり、制御部は、第１画面を表示部に表示させる第１表示処理と、第１画面と異なる第２画面を表示部に表示させる第２表示処理と、ログイン操作により動作モードを第１モードから第２モードに切り替えるログイン処理と、動作モードを第２モードから第１モードに切り替えるログアウト処理とを実行可能であり、制御部は、さらに、第１画面の表示中に受付部にログイン操作を受け付けた場合は、ログイン処理を実行し、第１画面の表示中に受付部にログイン操作を受け付けてログイン処理を実行した場合は、受付部にログアウト操作を受け付けたことに応じて、ログアウト処理を実行し、第１画面の表示中に受付部に選択操作を受け付けた場合は、第２表示処理を実行して表示部に第２画面を表示し、第２画面の表示中に受付部にログイン操作を受け付けた場合は、ログイン処理を実行し、第２画面の表示中に受付部にログイン操作を受け付けてログイン処理を実行した場合は、第１画面の表示中に受付部に受け付けた選択操作により選択されたジョブ実行機能によるジョブが終了したことに応じて、ログアウト処理を実行する。
【００１２】
この構成によれば、複数種類のジョブ実行機能のうちの一の種類のジョブ実行機能を選択する選択操作が受付部に受け付けられる前は、第１画面が表示部に表示されている。第１画面の表示中に選択操作が受付部に受け付けられると、第１画面と異なる第２画面が表示部に表示される。
【００１３】
第１画面の表示中にログイン操作が受付部に受け付けられた場合、つまり選択操作が行われる前にログイン操作が行われた場合、ログイン処理の実行後、ログアウト操作が受付部に受け付けられたことに応じてログアウト処理が実行される。ログイン処理では、動作モードが第１モードから第２モードに切り替えられる。ログアウト処理では、動作モードが第２モードから第１モードに切り替えられる。
【００１４】
選択操作が行われる前にログイン操作が行われるのは、ユーザが複数種類のジョブを連続して実行する意図を有している場合が多いと考えられる。そのため、選択操作が行われる前にログイン操作が行われた場合には、ログアウト操作が行われるまで、ログアウト処理が実行されず、複合機の動作モードが受付部に実行指示操作を受付可能な第２モードに維持される。よって、ユーザの意図に合わないタイミングで動作モードが第２モードから受付部に実行指示操作を受付不能な第１モードに切り替わることを抑制でき、ユーザが複数種類のジョブを連続して実行することが可能となる。
【００１５】
第２画面の表示中にログイン操作が受付部に受け付けられた場合、つまり選択操作が行われた後にログイン操作が行われた場合、ログイン処理の実行後、第１画面の表示中に受付部に受け付けられた選択操作により選択されたジョブ実行機能によるジョブが終了したことに応じてログアウト処理が実行される。
【００１６】
選択操作が行われた後にログイン操作が行われるのは、ユーザが単一のジョブを実行する意図を有している場合が多いと考えられる。そのため、選択操作が行われた後にログイン操作が行われた場合には、ジョブの実行が終了したことに応じてログアウト処理が実行されて、複合機の動作モードが第２モードから第１モードに切り替えられる。よって、ログアウト操作なくログアウト処理が実行されるので、ログアウト忘れを防止することができる。その結果、ログイン操作を行ったユーザ以外の他者によるジョブの実行を抑制することができる。
【００１７】
本発明の他の局面に係る複合機は、シートに画像を形成する画像形成部と、原稿の画像を読み取る画像読取部と、操作を受け付ける受付部と、表示部と、制御部とを備える複合機であって、操作には、ログイン操作、ログアウト操作、画像形成部または画像読取部の少なくとも一方を使用してジョブを実行する複数種類のジョブ実行機能のうちの一の種類のジョブ実行機能を選択する選択操作、選択操作によりジョブ実行機能が選択された状態の終了を指示する選択終了操作、および選択操作により選択されたジョブ実行機能によるジョブの実行を指示する実行指示操作が含まれ、制御部は、複合機の動作モードを、受付部に実行指示操作を受付不可能な第１モードと、受付部に実行指示操作を受付可能な第２モードとに切り替え可能であり、制御部は、受付部に選択操作を受け付ける前において、第１画面を表示部に表示させる第１表示処理と、第１画面の表示中に受付部に選択操作を受け付けたことに応じて、第１画面と異なる第２画面を表示部に表示させる第２表示処理と、第２画面の表示中に受付部にログイン操作を受け付けたことに応じて、第１画面および第２画面の両方と異なる第３画面を表示部に表示させる第３表示処理と、ログイン操作により動作モードを第１モードから第２モードに切り替えるログイン処理と、動作モードを第２モードから第１モードに切り替えるログアウト処理とを実行し、制御部は、さらに、第１画面の表示中に受付部にログイン操作を受け付けた場合、ログイン処理を実行し、その後、受付部にログアウト操作を受け付けたことに応じて、ログアウト処理を実行し、第２画面の表示中に受付部にログイン操作を受け付けた場合、ログイン処理と第３表示処理を実行し、その後、第１画面の表示中に受付部に受け付けた選択操作により選択されたジョブ実行機能によるジョブが終了した後、動作モードを第２モードのまま待機させ、第３画面の表示中に受付部に選択終了操作を受け付けたことに応じて、ログアウト処理を実行する。
【００１８】
この構成によれば、複数種類のジョブ実行機能のうちの一の種類のジョブ実行機能を選択する選択操作が受付部に受け付けられる前は、第１画面が表示部に表示されている。第１画面の表示中に選択操作が受付部に受け付けられると、第１画面と異なる第２画面が表示部に表示される。
【００１９】
第１画面の表示中にログイン操作が受付部に受け付けられた場合、つまり選択操作が行われる前にログイン操作が行われた場合、ログイン処理の実行後、ログアウト操作が受付部に受け付けられたことに応じてログアウト処理が実行される。ログイン処理では、動作モードが第１モードから第２モードに切り替えられる。ログアウト処理では、動作モードが第２モードから第１モードに切り替えられる。
【００２０】
選択操作が行われる前にログイン操作が行われるのは、ユーザが複数種類のジョブを連続して実行する意図を有している場合が多いと考えられる。そのため、選択操作が行われる前にログイン操作が行われた場合には、ログアウト操作が行われるまで、ログアウト処理が実行されず、複合機の動作モードが受付部に実行指示操作を受付可能な第２モードに維持される。よって、ユーザの意図に合わないタイミングで動作モードが第２モードから受付部に実行指示操作を受付不能な第１モードに切り替わることを抑制でき、ユーザが複数種類のジョブを連続して実行することが可能となる。
【００２１】
第２画面の表示中にログイン操作が受付部に受け付けられた場合、つまり選択操作が行われた後にログイン操作が行われた場合、ログイン処理の実行後、第１画面の表示中に受付部に受け付けられた選択操作により選択されたジョブ実行機能によるジョブが終了しても、動作モードが第２モードに維持され、第３画面の表示中に選択終了操作が受付部に受け付けられたことに応じてログアウト処理が実行される。
【００２２】
選択操作が行われた後にログイン操作が行われる場合にも、ユーザが複数種類のジョブを連続して実行する意図を有している場合がある。そのため、第３画面の表示中に選択終了操作が行われることにより、ユーザのジョブを実行しない意図が示されるまで、ログアウト処理が実行されず、複合機の動作モードが第２モードに維持される。よって、ユーザが複数種類のジョブを連続して実行することが可能でありながら、ユーザのジョブを実行しない意図が示された場合には、ログアウト操作なくログアウト処理が実行されるので、ログアウト忘れを防止することができる。
【００２３】
本発明のさらに他の局面に係る複合機は、シートに画像を形成する画像形成部と、原稿の画像を読み取る画像読取部と、操作を受け付ける受付部と、表示部と、制御部とを備える複合機であって、受付部が受け付ける操作には、ログイン操作、ログアウト操作、画像形成部または画像読取部の少なくとも一方を使用するジョブを実行する複数種類のジョブ実行機能のうちの一の種類のジョブ実行機能を選択する選択操作、選択操作によりジョブ実行機能が選択された状態の終了を指示する選択終了操作、選択操作により選択されたジョブ実行機能に関する設定の完了を指示する設定完了操作、および選択操作により選択されたジョブ実行機能によるジョブの実行を指示する実行指示操作が含まれ、制御部は、複合機の動作モードを、受付部に実行指示操作を受付不可能な第１モードと、受付部に実行指示操作を受付可能な第２モードとに切り替え可能であり、制御部は、受付部に選択操作を受け付ける前において、第１画面を表示部に表示させる第１表示処理と、第１画面の表示中に受付部に選択操作を受け付けたことに応じて、第１画面と異なる第２画面を表示部に表示させる第２表示処理と、第２画面の表示中に受付部にログイン操作を受け付けたことに応じて、第１画面および第２画面の両方と異なる第３画面を表示部に表示させる第３表示処理と、第２画面の表示中に受付部に設定完了操作を受け付けたことに応じて、第１画面、第２画面および第３画面のいずれとも異なる第４画面を表示部に表示させる第４表示処理と、動作モードを第１モードから第２モードに切り替えるログイン処理と、動作モードを第２モードから第１モードに切り替えるログアウト処理とを実行し、制御部は、さらに、第１画面の表示中に受付部にログイン操作を受け付けた場合、ログイン処理を実行し、その後、受付部にログアウト操作を受け付けたことに応じて、ログアウト処理を実行し、第２画面の表示中に受付部にログイン操作を受け付けた場合、ログイン処理と第３表示処理を実行し、その後、第１画面の表示中に受付部に受け付けた選択操作により選択されたジョブ実行機能によるジョブが終了した後、動作モードを第２モードのまま待機させ、第３画面の表示中に受付部に選択終了操作を受け付けたことに応じて、ログアウト処理を実行し、第４画面の表示中にログイン操作を受け付けた場合、ログイン処理を実行し、その後、第１画面の表示中に受付部に受け付けた選択操作により選択されたジョブ実行機能によるジョブが終了したことに応じて、ログアウト処理を実行する。
【００２４】
この構成によれば、複数種類のジョブ実行機能のうちの一の種類のジョブ実行機能を選択する選択操作が受付部に受け付けられる前は、第１画面が表示部に表示されている。第１画面の表示中に選択操作が受付部に受け付けられると、第１画面と異なる第２画面が表示部に表示される。
【００２５】
第１画面の表示中にログイン操作が受付部に受け付けられた場合、つまり選択操作が行われる前にログイン操作が行われた場合、ログイン処理の実行後、ログアウト操作が受付部に受け付けられたことに応じてログアウト処理が実行される。ログイン処理では、動作モードが第１モードから第２モードに切り替えられる。ログアウト処理では、動作モードが第２モードから第１モードに切り替えられる。
【００２６】
選択操作が行われる前にログイン操作が行われるのは、ユーザが複数種類のジョブを連続して実行する意図を有している場合が多いと考えられる。そのため、選択操作が行われる前にログイン操作が行われた場合には、ログアウト操作が行われるまで、ログアウト処理が実行されず、複合機の動作モードが受付部に実行指示操作を受付可能な第２モードに維持される。よって、ユーザの意図に合わないタイミングで動作モードが第２モードから受付部に実行指示操作を受付不能な第１モードに切り替わることを抑制でき、ユーザが複数種類のジョブを連続して実行することが可能となる。
【００２７】
第２画面の表示中にログイン操作が受付部に受け付けられた場合、つまり選択操作が行われた後であって設定完了操作が行われる前にログイン操作が行われた場合、ログイン処理の実行後、第１画面の表示中に受付部に受け付けられた選択操作により選択されたジョブ実行機能によるジョブが終了しても、動作モードが第２モードに維持され、第３画面の表示中に選択終了操作が受付部に受け付けられたことに応じてログアウト処理が実行される。
【００２８】
選択操作が行われた後にログイン操作が行われる場合にも、ユーザが複数種類のジョブを連続して実行する意図を有している場合がある。そのため、第３画面の表示中に選択終了操作が行われることにより、ユーザのジョブを実行しない意図が示されるまで、ログアウト処理が実行されず、複合機の動作モードが第２モードに維持される。よって、ユーザが複数種類のジョブを連続して実行することが可能でありながら、ユーザのジョブを実行しない意図が示された場合には、ログアウト操作なくログアウト処理が実行されるので、ログアウト忘れを防止することができる。
【００２９】
第２画面の表示中に設定完了操作が受付部に受け付けられた場合、つまり、選択操作後であってログイン操作前に設定完了操作が行われた場合、ログイン処理の実行後、第１画面の表示中に受付部に受け付けられた選択操作により選択されたジョブ実行機能によるジョブが終了したことに応じてログアウト処理が実行される。
【００３０】
選択操作が行われ、さらに設定完了操作までが行われた後にログイン操作が行われるのは、ユーザが単一のジョブを実行する意図を有している可能性が高いと考えられる。そのため、選択操作および設定完了操作が行われた後にログイン操作が行われた場合には、ジョブの実行が終了したことに応じてログアウト処理が実行されて、複合機の動作モードが第２モードから第１モードに切り替えられる。よって、ログアウト操作なくログアウト処理が実行されるので、ログアウト忘れを防止することができる。その結果、ログイン操作を行ったユーザ以外の他者によるジョブの実行を抑制することができる。
【発明の効果】
【００３１】
本発明によれば、ログアウト忘れを抑制でき、かつ、ユーザの意図に合わないタイミングで動作モードが第２モードから第１モードに切り替わることを抑制できる。
【図面の簡単な説明】
【００３２】
【図１】本発明の一実施形態に係るＭＦＰの電気的構成を示すブロック図である。
【図２】電源投入中処理の流れを示すフローチャートである。
【図３】図２に示される電源投入中処理の実行時にＭＦＰの表示部に表示される画面の遷移の一例を示す図である。
【図４】図２に示される電源投入中処理の実行時にＭＦＰの表示部に表示される画面の遷移の他の例を示す図である。
【図５】第２実施形態に係る電源投入中処理の流れを示すフローチャートである。
【図６】図５に示される電源投入中処理の実行時にＭＦＰの表示部に表示される画面の遷移の一例を示す図である。
【図７Ａ】第３実施形態に係る電源投入中処理の流れを示すフローチャート（その１）である。
【図７Ｂ】第３実施形態に係る電源投入中処理の流れを示すフローチャート（その２）である。
【図８】図５に示される電源投入中処理の実行時にＭＦＰの表示部に表示される画面の遷移の一例を示す図である。
【発明を実施するための形態】
【００３３】
以下では、本発明の実施の形態について、添付図面を参照しつつ詳細に説明する。
【００３４】
＜ＭＦＰの電気的構成＞
図１に示されるＭＦＰ（Multi-Function Peripheral）１は、画像形成機能および画像読取機能を有する複合機である。ＭＦＰ１（複合機の一例）は、画像形成機能のための画像形成部１１および画像読取機能のための画像読取部１２を備えている。また、ＭＦＰ１は、表示部１３、操作部１４（受付部の一例）、ＮＦＣ通信部１５（無線通信部、受付部の一例）、ファクシミリ通信部１６、ネットワーク通信部１７および制御部１８を備えている。
【００３５】
画像形成部１１は、ＭＦＰ１内の搬送路を１枚ずつ搬送されるシートに対して画像データに係る画像（カラー画像またはモノクロ画像）を形成する。画像形成の方式は、電子写真方式であってもよいし、インクジェット方式であってもよい。
【００３６】
画像読取部１２は、イメージセンサ及びＡＦＥ（Analog Front End）などを備えている。画像読取部１２では、イメージセンサにより原稿の画像が読み取られて、イメージセンサからアナログ画像信号が出力され、ＡＦＥによりそのアナログ画像信号がデジタル画像データに変換される。
【００３７】
表示部１３は、たとえば、液晶表示器からなる。表示部１３には、各種の情報が表示される。
【００３８】
操作部１４は、操作キー（たとえば、スタートキー、テンキー、カーソルキー、戻るキー）を備えている。操作キーの操作により、各種の指示などを操作部１４に入力することが可能である。なお、操作部１４は、表示部１３に一体的に設けられるタッチキーであってもよい。
【００３９】
ＮＦＣ通信部１５は、非接触型のＩＣカード２（非接触記憶媒体の一例）との間でのＮＦＣ（Near Field Communication）による無線通信のためのアンテナおよびＩＣチップモジュールなどを備えている。ＮＦＣは、国際規格であるＩＳＯ／ＩＥＣ１４４４３、ＩＳＯ／ＩＥＣ１８０９２などに対応する無線通信技術であり、１３．５６ＭＨｚ帯の通信周波数を利用する。ＮＦＣ通信部１５にＩＣカード２がかざされる（近づけられる）と、電磁誘導によりＩＣカード２に動作電力が供給されて、ＮＦＣ通信部１５とＩＣカード２との間でキャリアの変調による通信が行われる。
【００４０】
ファクシミリ通信部１６は、電話回線網を介したファクシミリ通信のために、ＮＣＵ（Network Control Unit）を内蔵したモデムなどを備えている。
【００４１】
ネットワーク通信部１７は、ＬＡＮ（Local Area Network）を経由したネットワーク通信のための回路などを備えている。ＬＡＮは、有線ＬＡＮであってもよいし、無線ＬＡＮであってもよい。また、ＬＡＮは、有線ＬＡＮおよび無線ＬＡＮの両方を含んでいてもよい。
【００４２】
制御部１８は、ＡＳＩＣ（Application Specific Integrated Circuit）２１、ＲＯＭ２２およびＲＡＭ２３などを備えている。
【００４３】
ＡＳＩＣ２１は、ＣＰＵ２４（制御部の一例）を内蔵している。ＡＳＩＣ２１には、画像読取部１２により取得された画像データ、操作部１４の操作内容を表す操作信号などが入力される。ＣＰＵ２４は、ＡＳＩＣ２１に入力される信号などに基づいて、ＲＯＭ２２に記憶されているプログラムを実行することにより、画像形成部１１、画像読取部１２および表示部１３を制御し、ＮＦＣ通信部１５、ファクシミリ通信部１６およびネットワーク通信部１７を通信のために制御する。ＣＰＵ２４による制御（プログラム）の実行時、ＲＡＭ２３がワークエリアとして使用される。また、ＲＡＭ２３には、ＮＶＲＡＭ（Non Volatile RAM）などの不揮発性メモリ２５が含まれる。
【００４４】
＜ＭＦＰのジョブ実行機能＞
ＭＦＰ１では、画像形成機能および画像読取機能の各単独の機能、それらの機能の組合せ、ならびにそれらの機能と通信機能との組合せにより、ファクシミリ（Ｆａｘ）機能、スキャン（Ｓｃａｎ）機能およびコピー（Ｃｏｐｙ）機能のジョブ実行機能を有している。
【００４５】
ファクシミリ機能は、画像データを公衆電話回線を介して送受信する機能である。具体的には、ファクシミリ機能は、画像読取部１２による画像読取機能により得られる画像データをファクシミリ通信部１６からファクシミリ通信の相手先に送信する送信機能と、ファクシミリ通信の相手先からファクシミリ通信部１６が受信する画像データを画像形成部１１による画像形成機能によりシートに形成する受信機能とを含む。
【００４６】
スキャン機能は、画像読取部１２による画像読取機能により原稿の画像を読み取って、その画像の画像データを取得する機能である。スキャン機能により取得される画像データは、ネットワーク通信部１７からＬＡＮ経由でＰＣ（Personal Computer）に送信されてもよいし、ＭＦＰ１がＵＳＢポートを有している場合には、そのＵＳＢポートに接続されたＵＳＢメモリに格納されてもよい。
【００４７】
コピー機能は、画像読取部１２による画像読取機能により原稿の画像を読み取って、その画像の画像データを取得し、その取得した画像データに係る画像を画像形成部１１による画像形成機能によりシートに形成する機能である。すなわち、コピー機能は、画像形成機能および画像読取機能の組合せにより、原稿の画像と同一の画像をシートに形成する機能である。
【００４８】
＜ログイン／ログアウト操作＞
各種のジョブ実行機能によるジョブの実行には、ユーザがＭＦＰ１にログインする必要がある。
【００４９】
ユーザがＭＦＰ１にログインしていない状態では、ＭＦＰ１の動作モードが第１モードに設定されている。第１モードでは、ＭＦＰ１の使用権限を有するユーザは、ＭＦＰ１にログインすることができる。ＭＦＰ１へのログインおよびＭＦＰ１からのログアウトには、ＩＣカード２が使用される。ＩＣカード２には、ＣＰＵや各種のメモリを含む構成のＩＣチップモジュールが内蔵されており、ＩＣチップモジュールのメモリには、ＩＣカード２に固有のカードＩＤが記憶されている。ユーザがＩＣカード２をＮＦＣ通信部１５にかざすことにより、ＮＦＣ通信部１５の交信エリア内にＩＣカード２が入ると、ＩＣカード２とＮＦＣ通信部１５との間でＮＦＣによる無線通信（ＮＦＣ通信）が行われて、ＮＦＣ通信部１５により、ＩＣカード２からカードＩＤが読み取られる。
【００５０】
ＲＡＭ２３に含まれる不揮発性メモリ２５には、ユーザ識別用データベースが構築（記憶）されている。このユーザ識別用データベースには、たとえば、ＭＦＰ１の使用権限を有するユーザのユーザＩＤが記憶（登録）されている。また、ユーザ識別用データベースには、各ユーザＩＤに対応づけて、ユーザが所有するＩＣカード２のカードＩＤと、ユーザが実行可能なジョブ実行機能とが登録されている。
【００５１】
ＩＣカード２とＮＦＣ通信部１５との間で無線通信が行われると、ＣＰＵ２４は、ＩＣカード２に記憶されているカードＩＤをＮＦＣ通信部１５を介して受信する。そして、その受信したカードＩＤ（ＮＦＣ通信部１５によりＩＣカード２から読み取られたカードＩＤ）に対応するユーザＩＤが不揮発性メモリ２５に記憶されているユーザ識別用データベースに登録されているか否かを判別する。
【００５２】
カードＩＤに対応するユーザＩＤがユーザ識別用データベースに登録されている場合、ユーザ識別が成功となり、ＣＰＵ２４は、カードＩＤに対応するユーザＩＤをユーザ識別用データベースから読み出し、そのユーザＩＤをＲＡＭ２３に記憶させる。また、ＣＰＵ２４は、ＭＦＰ１の動作モードを第１モードから第２モードに切り替える。これにより、ＩＣカード２をＮＦＣ通信部１５にかざしたユーザが識別され、そのユーザがＭＦＰ１にログインした状態となる。第２モードでは、ＭＦＰ１において、ＲＡＭ２３に記憶されているユーザＩＤに対応づけて不揮発性メモリ２５に記憶されているジョブ実行機能が実行可能である。一方、カードＩＤに対応するユーザＩＤがユーザ識別用データベースに登録されていない場合、ユーザ識別が失敗となり、ＣＰＵ２４は、カードＩＤに対応するユーザＩＤをＲＡＭ２３に記憶させない。
【００５３】
機能選択画面４１の表示中に、ログイン中のユーザが自己のＩＣカード２をＮＦＣ通信部１５にかざすと、ユーザがＭＦＰ１からログアウトとなる。すなわち、ＩＣカード２がＮＦＣ通信部１５にかざされて、ＩＣカード２とＮＦＣ通信部１５との間で無線通信が行われると、ＣＰＵ２４は、ＩＣカード２に記憶されているカードＩＤをＮＦＣ通信部１５を介して受信する。そして、その受信したカードＩＤに対応するユーザＩＤがＲＡＭ２３に記憶されているか否かを判別する。カードＩＤに対応するユーザＩＤがＲＡＭ２３に記憶されている場合、ＣＰＵ２４は、ＲＡＭ２３に記憶されているユーザＩＤを消去し、ＭＦＰ１の動作モードを第２モードから第１モードに切り替える。これにより、ユーザがＭＦＰ１からログアウトとなる。
【００５４】
＜電源投入中処理＞
ＭＦＰ１の電源が投入されている間、ＣＰＵ２４は、図２に示される電源投入中処理を実行する。
【００５５】
電源投入中処理では、ＣＰＵ２４は、ログイン操作が行われたか否かを判別する（Ｓ１１）。
【００５６】
ユーザがＭＦＰ１にログインしていない状態、言い換えれば、ＭＦＰ１の動作モードが第１モードである状態では、ＣＰＵ２４は、図３および図４に示されるログイン受付画面３１（第１画面の一例）を表示部１３に表示させる。ログイン受付画面３１では、メッセージ表示領域３２に「Ｌｏｇｉｎ：」と表示され、その右側が空白になっている（ユーザＩＤが表示されていない）。メッセージ表示領域３２は、ログイン受付画面３１の上部に設定されている。ログイン受付画面３１の下部には、ファクシミリ機能、スキャン機能およびコピー機能をそれぞれ選択するためのファクシミリ選択ボタン３３、コピー選択ボタン３４およびスキャン選択ボタン３５が表示されている。ファクシミリ選択ボタン３３、コピー選択ボタン３４およびスキャン選択ボタン３５には、たとえば、それぞれ「Ｆａｘ」、「Ｃｏｐｙ」および「Ｓｃａｎ」の文字が表示されている。
【００５７】
ログイン受付画面３１が表示部１３に表示されている状態では、ユーザは、ログイン操作により、ＭＦＰ１にログインすることができる。ログイン操作、つまりユーザが所有するＩＣカード２をＮＦＣ通信部１５にかざす操作が行われると（Ｓ１１：ＹＥＳ）、ＣＰＵ２４は、ログイン処理を実行する（Ｓ１２）。ログイン処理では、ＣＰＵ２４は、前述したように、ＩＣカード２からＮＦＣ通信部１５を介してカードＩＤを受信し、そのカードＩＤに対応するユーザＩＤをＲＡＭ２３に記憶させ、ＭＦＰ１の動作モードを第１モードから第２モードに切り替える。
【００５８】
このジョブ実行機能の選択前のログイン処理の実行に応じて（第１モードから第２モードへの切り替わりに応じて）、ＣＰＵ２４は、図３に示されるように、表示部１３の表示をログイン受付画面３１から機能選択画面４１に切り替える。機能選択画面４１では、メッセージ表示領域３２に「Ｌｏｇｉｎ：」と表示され、その右側にログイン中のユーザのユーザＩＤ（たとえば、「ＵｓｅｒＡ」）が表示される。また、機能選択画面４１では、ログイン受付画面３１から引き続いて、ファクシミリ選択ボタン３３、コピー選択ボタン３４およびスキャン選択ボタン３５が表示されている。機能選択画面４１の表示中に、ユーザは、操作部１４を操作して、ファクシミリ選択ボタン３３、コピー選択ボタン３４またはスキャン選択ボタン３５を押すこと（選択操作）により、ジョブ実行機能を選択することができる。
【００５９】
なお、機能選択画面４１では、ユーザが実行可能な機能と実行不可能な機能とが区別して表示されてもよい。たとえば、スキャン機能およびコピー機能を実行可能なユーザＡがログインした場合、コピー機能を選択するためのコピー選択ボタン３４およびスキャン機能を選択するためのスキャン選択ボタン３５の表示色が背景色と反転して表示され、ユーザＡが実行不可能なファクシミリ機能を選択するためのファクシミリ選択ボタン３３の表示色が背景色と同色で表示されてもよい。
【００６０】
ログイン処理の実行後、ＣＰＵ２４は、ジョブ実行機能が選択されたか否かを判別する（Ｓ１３）。すなわち、ＣＰＵ２４は、ジョブ実行機能を選択する選択操作が操作部１４に受け付けられたか否かを判別する。
【００６１】
また、ジョブ実行機能が選択されていなければ（Ｓ１３：ＮＯ）、ＣＰＵ２４は、ログアウト操作が行われたか否かを判別する（Ｓ１４）。
【００６２】
ジョブ実行機能の選択およびログアウト操作の両方が行われないままログイン処理の実行から所定時間が経過した場合（Ｓ１５：ＹＥＳ）、無操作タイムアウトとなり、ＣＰＵ２４は、ログアウト処理を実行する（Ｓ１６）。ログアウト処理では、ＣＰＵ２４は、前述したように、ＣＰＵ２４は、ＲＡＭ２３に記憶されているユーザＩＤを消去し、ＭＦＰ１の動作モードを第２モードから第１モードに切り替える。そして、第２モードから第１モードへの切り替えに応じて、ＣＰＵ２４は、図３に示されるように、表示部１３の表示を機能選択画面４１からログイン受付画面３１に戻す。ログアウト処理の実行後、ＣＰＵ２４は、ログイン操作が行われたか否かを再び判別する（Ｓ１１）。
【００６３】
無操作タイムアウトとなる前にログアウト操作が行われた場合にも（Ｓ１４：ＹＥＳ）、ＣＰＵ２４は、ログアウト処理を実行する（Ｓ１６）。その後、ＣＰＵ２４は、ログイン操作が行われたか否かを再び判別する（Ｓ１１）。
【００６４】
一方、無操作タイムアウトとなる前にジョブ実行機能が選択された場合（Ｓ１３：ＹＥＳ）、ＣＰＵ２４は、ジョブ実行指示が入力されたか否かを判別する（Ｓ１７）。
【００６５】
具体的には、ジョブ実行機能を選択する選択操作が行われると、ＣＰＵ２４は、図３に示されるように、表示部１３の表示を機能選択画面４１からログイン中設定画面５１に切り替える。ログイン中設定画面５１は、ユーザが選択したジョブ実行機能に関する設定を行う画面である。ログイン中設定画面５１では、メッセージ表示領域３２に「Ｌｏｇｉｎ：」の文字とログイン中のユーザのユーザＩＤが引き続き表示される。また、ログイン中設定画面５１では、メッセージ表示領域３２の下側の設定内容表示領域５２に設定内容が表示され、設定内容表示領域５２の右側に機能の実行を指示するスタートボタン５３が表示される。たとえば、機能選択画面４１でコピー選択ボタン３４が押されて、コピー機能が選択された場合、表示部１３の表示が機能選択画面４１からコピー機能用のログイン中設定画面５１Ｃに切り替えられる。また、機能選択画面４１でスキャン選択ボタン３５が押されて、スキャン機能が選択された場合、表示部１３の表示が機能選択画面４１からスキャン機能用のログイン中設定画面５１Ｓに切り替えられる。表示部１３にログイン中設定画面５１が表示されている状態で、ユーザは、操作部１４を操作して、スタートボタン５３を押すこと（実行指示操作）により、ジョブ実行指示を入力することができる。ＣＰＵ２４は、表示部１３にログイン中設定画面５１が表示されている状態で、実行指示操作が操作部１４に受け付けられたか否かを判別する。
【００６６】
なお、ログイン中設定画面５１の表示中に、ログイン中のユーザのＩＣカード２がＮＦＣ通信部１５にかざされても、ログイン中のユーザはＭＦＰ１からログアウトされない。ログイン中設定画面５１の表示中にログイン中のユーザがログアウトを所望する場合、ユーザは、たとえば、操作部１４に設けられている戻るボタンを押して、表示部１３の表示をログイン中設定画面５１から機能選択画面４１に戻した後、ＩＣカード２をＮＦＣ通信部１５にかざすことにより、ＭＦＰ１からログアウトすることができる。
【００６７】
ジョブ実行指示が入力されないままジョブ実行機能を選択する選択操作から所定時間が経過した場合（Ｓ１８：ＹＥＳ）、無操作タイムアウトとなり、ＣＰＵ２４は、ログアウト処理を実行する（Ｓ１６）。ログアウト処理の実行後、ＣＰＵ２４は、ログイン操作が行われたか否かを再び判別する（Ｓ１１）。
【００６８】
無操作タイムアウトとなる前にジョブ実行指示が入力された場合（Ｓ１７：ＹＥＳ）、ＣＰＵ２４は、機能選択画面４１で選択されたジョブ実行機能によるジョブを実行する（Ｓ１９）。
【００６９】
そして、ＣＰＵ２４は、図３に示されるように、表示部１３の表示をログイン中設定画面５１からジョブ実行中画面６１に切り替える。ジョブ実行中画面６１では、ジョブ実行中である旨のメッセージが表示される。具体的には、コピー機能用のログイン中設定画面５１Ｃでジョブ実行指示が入力された場合、表示部１３の表示がコピー機能用のログイン中設定画面５１Ｃからジョブ実行中画面６１Ｃに切り替えられる。コピー機能用のジョブ実行中画面６１Ｃでは、その中央に「Ｃｏｐｙｉｎｇ」の文字が表示される。また、スキャン機能用のログイン中設定画面５１Ｓでジョブ実行指示が入力された場合、表示部１３の表示がスキャン機能用のログイン中設定画面５１Ｓからジョブ実行中画面６１Ｓに切り替えられる。スキャン機能用のジョブ実行中画面６１Ｓでは、その中央部に「Ｓｃａｎｎｉｎｇ」の文字が表示される。
【００７０】
ジョブが終了すると（Ｓ２０：ＹＥＳ）、ＣＰＵ２４は、表示部１３の表示をジョブ実行中画面６１から機能選択画面４１に切り替える。
【００７１】
また、ジョブが終了すると、ＣＰＵ２４は、自動ログアウトがオンに設定されているか否かを判別する（Ｓ２１）。自動ログアウトは、ジョブが終了したことに応じてログアウト処理を実行する機能である。
【００７２】
自動ログアウトがオンに設定されていない場合（Ｓ２１：ＮＯ）、ＣＰＵ２４は、ログアウト操作が行われたか否かを判別する（Ｓ１４）。
【００７３】
ログアウト操作が行われていなければ（Ｓ１４：ＮＯ）、ＣＰＵ２４は、ジョブ実行機能の選択およびログアウト操作の両方が行われないままジョブの終了から所定時間が経過することによる無操作タイムアウトか否かを判別する（Ｓ１５）。
【００７４】
無操作タイムアウトではない場合（Ｓ１５：ＮＯ）、ＣＰＵ２４は、ジョブ実行機能が選択されたか否かを判別する（Ｓ１３）。
【００７５】
無操作タイムアウトとなる前にログアウト操作が行われるか（Ｓ１４：ＹＥＳ）、または、無操作タイムアウトとなった場合（Ｓ１５：ＹＥＳ）、ＣＰＵ２４は、前述したように、ログアウト処理を実行する（Ｓ１６）。無操作タイムアウトとなる前にジョブ実行機能が選択された場合（Ｓ１３：ＹＥＳ）、ＣＰＵ２４は、前述したように、ジョブ実行指示が入力されたか否かを判別する（Ｓ１７）。
【００７６】
ログイン受付画面３１が表示部１３に表示されている状態では、ログイン操作より先にジョブ実行機能を選択することも可能である。ログイン操作より先に選択操作が操作部１４に受け付けられて、ジョブ実行機能が選択された場合（Ｓ２２：ＹＥＳ）、その選択に応じて、ＣＰＵ２４は、図４に示されるように、表示部１３の表示をログイン受付画面３１からログイン前設定画面７１（第２画面の一例）に切り替える。ログイン前設定画面７１は、ユーザが選択したジョブ実行機能に関する設定を行う画面である。ログイン前設定画面７１では、メッセージ表示領域３２に「Ｌｏｇｉｎ：」の文字が引き続き表示される。また、ログイン前設定画面７１では、メッセージ表示領域３２の下側の設定内容表示領域７２に設定内容が表示され、設定内容表示領域５２の右側に機能の実行を指示するスタートボタン７３が表示される。
【００７７】
表示部１３にログイン前設定画面７１が表示されている状態で、操作部１４の操作によりスタートボタン７３が押された場合、ＣＰＵ２４は、図４に示されるように、表示部１３の表示をログイン前設定画面７１からエラー画面８１に切り替える。エラー画面８１では、ユーザのログインを促すメッセージが表示される。
【００７８】
ログイン操作よりも先にジョブ実行機能が選択された後、ログイン操作が行われると（Ｓ２３：ＹＥＳ）、ＣＰＵ２４は、自動ログアウトをオンに設定する（Ｓ２４）。
【００７９】
そして、ＣＰＵ２４は、ログイン処理を実行する（Ｓ２５）。また、ログイン処理の実行に応じて、ＣＰＵ２４は、図４に示されるように、表示部１３の表示をログイン前設定画面７１またはエラー画面８１からログイン中設定画面５１に切り替える。
【００８０】
その後、ＣＰＵ２４は、ジョブ実行指示が入力されたか否かを判別する（Ｓ１７）。
【００８１】
ジョブ実行指示が入力されないままログイン操作から所定時間が経過した場合（Ｓ１８：ＹＥＳ）、無操作タイムアウトとなり、ＣＰＵ２４は、ログアウト処理を実行する（Ｓ１６）。ログアウト処理の実行後、ＣＰＵ２４は、ログイン操作が行われたか否かを再び判別する（Ｓ１１）。
【００８２】
無操作タイムアウトとなる前にジョブ実行指示が入力された場合（Ｓ１７：ＹＥＳ）、ＣＰＵ２４は、ログイン受付画面３１で選択されたジョブ実行機能によるジョブを実行する（Ｓ１９）。そして、ＣＰＵ２４は、図４に示されるように、表示部１３の表示をログイン中設定画面５１からジョブ実行中画面６１に切り替える。
【００８３】
ジョブが終了すると（Ｓ２０：ＹＥＳ）、ＣＰＵ２４は、自動ログアウトがオンに設定されているか否かを判別する（Ｓ２１）。
【００８４】
自動ログアウトがオンに設定されている場合（Ｓ２１：ＹＥＳ）、ＣＰＵ２４は、ログアウト処理を実行する（Ｓ１６）。そして、ＣＰＵ２４は、図４に示されるように、表示部１３の表示をジョブ実行中画面６１からログイン受付画面３１に切り替える。ログアウト処理の実行後、ＣＰＵ２４は、ログイン操作が行われたか否かを再び判別する（Ｓ１１）。
【００８５】
＜作用効果＞
以上のように、複数種類のジョブ実行機能のうちの一の種類のジョブ実行機能を選択する選択操作が操作部１４に受け付けられる前は、ログイン受付画面３１が表示部１３に表示されている。ログイン受付画面３１の表示中に選択操作が操作部１４に受け付けられると、ログイン受付画面３１と異なるログイン前設定画面７１が表示部１３に表示される。
【００８６】
ログイン受付画面３１の表示中にログイン操作が行われた場合、つまり選択操作が行われる前にログイン操作が行われた場合、ログイン処理の実行後、ログアウト操作が行われたことに応じてログアウト処理が実行される。ログイン処理では、動作モードが第１モードから第２モードに切り替えられる。ログアウト処理では、動作モードが第２モードから第１モードに切り替えられる。
【００８７】
選択操作が行われる前にログイン操作が行われるのは、ユーザが複数種類のジョブを連続して実行する意図を有している場合が多いと考えられる。そのため、選択操作が行われる前にログイン操作が行われた場合には、ログアウト操作が行われるか、または、無操作タイムアウトとなるまで、ログアウト処理が実行されず、ＭＦＰ１の動作モードが操作部１４に実行指示操作を受付可能な第２モードに維持される。よって、ユーザの意図に合わないタイミングで動作モードが第２モードから操作部１４に実行指示操作を受付不能な第１モードに切り替わることを抑制でき、ユーザが複数種類のジョブを連続して実行することが可能となる。
【００８８】
ログイン前設定画面７１の表示中にログイン操作が行われた場合、つまり選択操作が行われた後にログイン操作が行われた場合、ログイン処理の実行後、ログイン受付画面３１の表示中に操作部１４に受け付けられた選択操作により選択されたジョブ実行機能によるジョブが終了したことに応じてログアウト処理が実行される。
【００８９】
選択操作が行われた後にログイン操作が行われるのは、ユーザが単一のジョブを実行する意図を有している場合が多いと考えられる。そのため、選択操作が行われた後にログイン操作が行われた場合には、ジョブの実行が終了したことに応じてログアウト処理が実行されて、ＭＦＰ１の動作モードが第２モードから第１モードに切り替えられる。よって、ログアウト操作なくログアウト処理が実行されるので、ログアウト忘れを防止することができる。その結果、ログイン操作を行ったユーザ以外の他者によるジョブの実行を抑制することができる。
【００９０】
ログイン操作が行われた後、選択操作が行われないままログイン操作から所定時間が経過した場合、または、ログイン操作および選択操作が行われた後、実行指示操作が行われないまま選択操作から所定時間が経過した場合、無操作タイムアウトとなり、ログアウト処理が実行される。また、ジョブ終了後、選択操作または実行指示操作が行われないまま所定時間が経過した場合、無操作タイムアウトとなり、ログアウト処理が実行される。これにより、ユーザがログイン操作の後に実行指示操作を行わずにＭＦＰ１から離れた場合やジョブ終了後にログアウト操作を忘れてＭＦＰ１から離れた場合などに、ユーザがログインした状態、つまりＭＦＰ１の動作モードが第２モードである状態が無駄に続くことを抑制でき、ログイン操作を行ったユーザ以外の他者によるジョブの実行を抑制することができる。
【００９１】
＜第２実施形態＞
ＭＦＰ１の電源が投入されている間、ＣＰＵ２４により、図２に示される電源投入中処理に代えて、図５に示される電源投入中処理が実行されてもよい。
【００９２】
なお、以下では、表示部１３に表示される画面の構成につき、前述した構成についての説明を省略する。
【００９３】
図５に示される電源投入中処理では、ＣＰＵ２４は、ログイン操作が行われたか否かを判別する（Ｓ３１）。
【００９４】
ユーザがＭＦＰ１にログインしていない状態、言い換えれば、ＭＦＰ１の動作モードが第１モードである状態では、ＣＰＵ２４は、図３および図６に示されるように、ログイン受付画面３１（第１画面の一例）を表示部１３に表示させる。
【００９５】
ログイン受付画面３１が表示部１３に表示されている状態では、ユーザは、ログイン操作により、ＭＦＰ１にログインすることができる。ログイン操作、つまりユーザが所有するＩＣカード２をＮＦＣ通信部１５にかざす操作が行われると（Ｓ３１：ＹＥＳ）、ＣＰＵ２４は、ログイン処理を実行する（Ｓ３２）。
【００９６】
このジョブ実行機能の選択前のログイン処理の実行に応じて（第１モードから第２モードへの切り替わりに応じて）、ＣＰＵ２４は、図３に示されるように、表示部１３の表示をログイン受付画面３１から機能選択画面４１に切り替える。
【００９７】
ログイン処理の実行後、ＣＰＵ２４は、ジョブ実行機能が選択されたか否かを判別する（Ｓ３３）。すなわち、ＣＰＵ２４は、ジョブ実行機能を選択する選択操作が操作部１４に受け付けられたか否かを判別する。
【００９８】
また、ジョブ実行機能が選択されていなければ（Ｓ３３：ＮＯ）、ＣＰＵ２４は、ログアウト操作が行われたか否かを判別する（Ｓ３４）。
【００９９】
ジョブ実行機能の選択およびログアウト操作の両方が行われないまま、ログイン処理の実行から所定時間が経過した場合（Ｓ３５：ＹＥＳ）、無操作タイムアウトとなり、ＣＰＵ２４は、ログアウト処理を実行する（Ｓ３６）。そして、ＣＰＵ２４は、図３に示されるように、表示部１３の表示を機能選択画面４１からログイン受付画面３１に戻す。ログアウト処理の実行後、ＣＰＵ２４は、ログイン操作が行われたか否かを再び判別する（Ｓ３１）。
【０１００】
無操作タイムアウトとなる前にログアウト操作が行われた場合にも（Ｓ３４：ＹＥＳ）、ＣＰＵ２４は、ログアウト処理を実行する（Ｓ３６）。その後、ＣＰＵ２４は、ログイン操作が行われたか否かを再び判別する（Ｓ３１）。
【０１０１】
一方、無操作タイムアウトとなる前に選択操作が行われて、ジョブ実行機能が選択された場合（Ｓ３３：ＹＥＳ）、ＣＰＵ２４は、図３に示されるように、表示部１３の表示を機能選択画面４１からログイン中設定画面５１に切り替える。そして、ＣＰＵ２４は、ジョブ実行指示が入力されたか否かを判別する（Ｓ３７）。
【０１０２】
ジョブ実行指示が入力されていなければ（Ｓ３７：ＮＯ）、ＣＰＵ２４は、選択終了操作が行われたか否かを判別する（Ｓ４６）。選択終了操作については、後述する。
【０１０３】
ジョブ実行指示の入力および選択終了操作が行われないままジョブ実行機能を選択する選択操作から所定時間が経過した場合（Ｓ３８：ＹＥＳ）、無操作タイムアウトとなり、ＣＰＵ２４は、ログアウト処理を実行する（Ｓ３６）。ログアウト処理の実行後、ＣＰＵ２４は、ログイン操作が行われたか否かを再び判別する（Ｓ３１）。
【０１０４】
無操作タイムアウトとなる前にジョブ実行指示が入力された場合（Ｓ３７：ＹＥＳ）、ＣＰＵ２４は、機能選択画面４１で選択されたジョブ実行機能によるジョブを実行する（Ｓ３９）。そして、ＣＰＵ２４は、図３に示されるように、表示部１３の表示をログイン中設定画面５１からジョブ実行中画面６１に切り替える。
【０１０５】
ジョブが終了すると（Ｓ４０：ＹＥＳ）、ＣＰＵ２４は、表示部１３の表示をジョブ実行中画面６１から機能選択画面４１に切り替える。
【０１０６】
また、ジョブが終了すると、ＣＰＵ２４は、自動ログアウトがオンに設定されているか否かを判別する（Ｓ４１）。
【０１０７】
自動ログアウトがオンに設定されていない場合（Ｓ４１：ＮＯ）、ＣＰＵ２４は、ログアウト操作が行われたか否かを判別する（Ｓ３４）。
【０１０８】
ログアウト操作が行われていなければ（Ｓ３４：ＮＯ）、ＣＰＵ２４は、ジョブ実行機能の選択およびログアウト操作の両方が行われないまま、ジョブの終了から所定時間が経過することによる無操作タイムアウトか否かを判別する（Ｓ３５）。
【０１０９】
無操作タイムアウトではない場合（Ｓ３５：ＮＯ）、ＣＰＵ２４は、ジョブ実行機能が選択されたか否かを判別する（Ｓ３３）。
【０１１０】
無操作タイムアウトとなる前にログアウト操作が行われるか（Ｓ３４：ＹＥＳ）、または、無操作タイムアウトとなった場合（Ｓ３５：ＹＥＳ）、ＣＰＵ２４は、ログアウト処理を実行する（Ｓ３６）。無操作タイムアウトとなる前にジョブ実行機能が新たに選択された場合（Ｓ３３：ＹＥＳ）、ＣＰＵ２４は、ジョブ実行指示が入力されたか否かを判別する（Ｓ３７）。
【０１１１】
ログイン受付画面３１が表示部１３に表示されている状態において、ログイン操作より先に選択操作が操作部１４に受け付けられて、ジョブ実行機能が選択された場合（Ｓ４２：ＹＥＳ）、その選択に応じて、ＣＰＵ２４は、図６に示されるように、表示部１３の表示をログイン受付画面３１から第２ログイン前設定画面９１（第２画面の一例）に切り替える。第２ログイン前設定画面９１は、ユーザが選択したジョブ実行機能に関する設定を行う画面である。第２ログイン前設定画面９１では、メッセージ表示領域３２に「Ｌｏｇｉｎ：」の文字が引き続き表示される。また、第２ログイン前設定画面９１では、メッセージ表示領域３２の下側の設定内容表示領域９２に設定内容が表示され、設定内容表示領域５２の右側に設定内容の確定を入力するＯＫボタン９３が表示される。
【０１１２】
第２ログイン前設定画面９１が表示部１３に表示されている状態において、つまりログイン操作よりも先にジョブ実行機能が選択された後、ログイン操作が行われると（Ｓ４３：ＹＥＳ）、ＣＰＵ２４は、自動ログアウトをオンに設定する（Ｓ４４）。
【０１１３】
そして、ＣＰＵ２４は、ログイン処理を実行する（Ｓ４５）。また、ログイン処理の実行に応じて、ＣＰＵ２４は、図６に示されるように、表示部１３の表示を第２ログイン前設定画面９１から第２ログイン中設定画面１０１（第３画面の一例）に切り替える。第２ログイン中設定画面１０１では、メッセージ表示領域３２に「Ｌｏｇｉｎ：」と表示され、その右側にログイン中のユーザのユーザＩＤ（たとえば、「ＵｓｅｒＡ」）が表示される。また、第２ログイン中設定画面１０１では、第２ログイン前設定画面９１から引き続いて、設定内容表示領域９２に設定内容が表示され、設定内容表示領域９２の右側にＯＫボタン９３が表示されている。さらに、第２ログイン中設定画面１０１では、メッセージ表示領域３２の右側かつＯＫボタン９３の上側に、キャンセルボタン１０２が表示される。ユーザは、操作部１４を操作して、キャンセルボタン１０２を押すこと（選択終了操作）により、第２ログイン中設定画面１０１の表示の終了を指示することができる。
【０１１４】
その後、ＣＰＵ２４は、ジョブ実行指示が入力されたか否かを判別する（Ｓ３７）。ジョブ実行指示は、図６に示されるように、操作部１４が操作されて、表示部１３に表示される実行指示画面１１１のスタートボタン１１２が押されること（実行指示操作）により入力される。操作部１４が操作されて、第２ログイン中設定画面１０１のＯＫボタン９３が押されると、ＣＰＵ２４は、表示部１３の表示を第２ログイン中設定画面１０１から実行指示画面１１１に切り替える。実行指示画面１１１では、メッセージ表示領域３２に「Ｌｏｇｉｎ：」の文字とログイン中のユーザのユーザＩＤが引き続き表示される。また、実行指示画面１１１では、メッセージ表示領域３２の下側に機能の実行を指示するスタートボタン１１２が表示される。
【０１１５】
ジョブ実行指示が入力されていなければ（Ｓ３７：ＮＯ）、ＣＰＵ２４は、選択終了操作が行われたか否かを判別する（Ｓ４６）。選択終了操作については、後述する。
【０１１６】
ジョブ実行指示の入力および選択終了操作が行われないままログイン操作から所定時間が経過した場合（Ｓ３８：ＹＥＳ）、無操作タイムアウトとなり、ＣＰＵ２４は、ログアウト処理を実行する（Ｓ３６）。ログアウト処理の実行後、ＣＰＵ２４は、ログイン操作が行われたか否かを再び判別する（Ｓ３１）。
【０１１７】
無操作タイムアウトとなる前にジョブ実行指示が入力された場合（Ｓ３７：ＹＥＳ）、ＣＰＵ２４は、ログイン受付画面３１で選択されたジョブ実行機能によるジョブを実行する（Ｓ３９）。そして、ＣＰＵ２４は、図６に示されるように、表示部１３の表示をログイン中設定画面５１からジョブ実行中画面６１に切り替える。
【０１１８】
ジョブが終了すると（Ｓ４０：ＹＥＳ）、ＣＰＵ２４は、表示部１３の表示をジョブ実行中画面から第２ログイン中設定画面１０１に切り替える。そして、ＣＰＵ２４は、自動ログアウトがオンに設定されているか否かを判別する（Ｓ４１）。
【０１１９】
自動ログアウトがオンに設定されている場合（Ｓ４１：ＹＥＳ）、ＣＰＵ２４は、選択終了操作が行われたか否かを判別する（Ｓ４６）。選択終了操作は、操作部１４の操作によりキャンセルボタン１０２を押す操作である。
【０１２０】
ジョブ実行指示の入力および選択終了操作が行われないままジョブ終了から所定時間が経過した場合（Ｓ３８：ＹＥＳ）、無操作タイムアウトとなり、ＣＰＵ２４は、ログアウト処理を実行する（Ｓ３６）。
【０１２１】
また、第２ログイン中設定画面１０１の表示中に選択終了操作が行われると（Ｓ４６：ＹＥＳ）、ＣＰＵ２４は、ログアウト処理を実行する（Ｓ３６）。ログアウト処理の実行に応じて、ＣＰＵ２４は、図６に示されるように、表示部１３の表示をジョブ実行中画面６１からログイン受付画面３１に切り替える。ログアウト処理の実行後、ＣＰＵ２４は、ログイン操作が行われたか否かを再び判別する（Ｓ３１）。
【０１２２】
＜第２実施形態の作用効果＞
以上のように、複数種類のジョブ実行機能のうちの一の種類のジョブ実行機能を選択する選択操作が操作部１４に受け付けられる前は、ログイン受付画面３１が表示部１３に表示されている。ログイン受付画面３１の表示中に選択操作が操作部１４に受け付けられると、ログイン受付画面３１と異なる第２ログイン前設定画面９１が表示部１３に表示される。
【０１２３】
ログイン受付画面３１の表示中にログイン操作が行われた場合、つまり選択操作が行われる前にログイン操作が行われた場合、ログイン処理の実行後、ログアウト操作が行われたことに応じてログアウト処理が実行される。ログイン処理では、動作モードが第１モードから第２モードに切り替えられる。ログアウト処理では、動作モードが第２モードから第１モードに切り替えられる。
【０１２４】
選択操作が行われる前にログイン操作が行われるのは、ユーザが複数種類のジョブを連続して実行する意図を有している場合が多いと考えられる。そのため、選択操作が行われる前にログイン操作が行われた場合には、ログアウト操作が行われるまで、ログアウト処理が実行されず、ＭＦＰ１の動作モードが操作部１４に実行指示操作を受付可能な第２モードに維持される。よって、ユーザの意図に合わないタイミングで動作モードが第２モードから操作部１４に実行指示操作を受付不能な第１モードに切り替わることを抑制でき、ユーザが複数種類のジョブを連続して実行することが可能となる。
【０１２５】
第２ログイン前設定画面９１の表示中にログイン操作が行われた場合、つまり選択操作が行われた後にログイン操作が行われた場合、表示部１３の表示が第２ログイン前設定画面９１から第２ログイン中設定画面１０１に切り替わる。そして、ログイン処理の実行後、実行指示操作に応じてジョブが実行され、そのジョブが終了しても、動作モードが第２モードに維持され、第２ログイン中設定画面１０１の表示中に選択終了操作が操作部１４に受け付けられたことに応じてログアウト処理が実行される。
【０１２６】
選択操作が行われた後にログイン操作が行われる場合にも、ユーザが複数種類のジョブを連続して実行する意図を有している場合がある。そのため、第２ログイン中設定画面１０１の表示中に選択終了操作が行われることにより、ユーザのジョブを実行しない意図が示されるまで、ログアウト処理が実行されず、ＭＦＰ１の動作モードが第２モードに維持される。よって、ユーザが複数種類のジョブを連続して実行することが可能でありながら、ユーザのジョブを実行しない意図が示された場合には、ログアウト操作なくログアウト処理が実行されるので、ログアウト忘れを防止することができる。
【０１２７】
＜第３実施形態＞
ＭＦＰ１の電源が投入されている間、ＣＰＵ２４により、図２に示される電源投入中処理に代えて、図７Ａおよび図７Ｂに示される電源投入中処理が実行されてもよい。
【０１２８】
図７Ａおよび図７Ｂに示される電源投入中処理では、ＣＰＵ２４は、ログイン操作が行われたか否かを判別する（Ｓ５１）。
【０１２９】
ユーザがＭＦＰ１にログインしていない状態、言い換えれば、ＭＦＰ１の動作モードが第１モードである状態では、ＣＰＵ２４は、図３、図６および図８に示されるように、ログイン受付画面３１（第１画面の一例）を表示部１３に表示させる。
【０１３０】
ログイン受付画面３１が表示部１３に表示されている状態では、ユーザは、ログイン操作により、ＭＦＰ１にログインすることができる。ログイン操作、つまりユーザが所有するＩＣカード２をＮＦＣ通信部１５にかざす操作が行われると（Ｓ５１：ＹＥＳ）、ＣＰＵ２４は、ログイン処理を実行する（Ｓ５２）。
【０１３１】
このジョブ実行機能の選択前のログイン処理の実行に応じて（第１モードから第２モードへの切り替わりに応じて）、ＣＰＵ２４は、図３に示されるように、表示部１３の表示をログイン受付画面３１から機能選択画面４１に切り替える。
【０１３２】
ログイン処理の実行後、ＣＰＵ２４は、図７Ｂに示されるように、ジョブ実行機能が選択されたか否かを判別する（Ｓ５３）。すなわち、ＣＰＵ２４は、ジョブ実行機能を選択する選択操作が操作部１４に受け付けられたか否かを判別する。
【０１３３】
また、ジョブ実行機能が選択されていなければ（Ｓ５３：ＮＯ）、ＣＰＵ２４は、ログアウト操作が行われたか否かを判別する（Ｓ５４）。
【０１３４】
ジョブ実行機能の選択およびログアウト操作の両方が行われないまま、ログイン処理の実行から所定時間が経過した場合（Ｓ５５：ＹＥＳ）、無操作タイムアウトとなり、ＣＰＵ２４は、ログアウト処理を実行する（Ｓ５６）。そして、ＣＰＵ２４は、図３に示されるように、表示部１３の表示を機能選択画面４１からログイン受付画面３１に戻す。ログアウト処理の実行後、ＣＰＵ２４は、ログイン操作が行われたか否かを再び判別する（Ｓ５１）。
【０１３５】
無操作タイムアウトとなる前にログアウト操作が行われた場合にも（Ｓ５４：ＹＥＳ）、ＣＰＵ２４は、ログアウト処理を実行する（Ｓ５６）。その後、ＣＰＵ２４は、ログイン操作が行われたか否かを再び判別する（Ｓ５１）。
【０１３６】
一方、無操作タイムアウトとなる前にジョブ実行機能が選択された場合（Ｓ５３：ＹＥＳ）、ＣＰＵ２４は、図３に示されるように、表示部１３の表示を機能選択画面４１からログイン中設定画面５１に切り替える。そして、ＣＰＵ２４は、ジョブ実行指示が入力されたか否かを判別する（Ｓ５７）。
【０１３７】
ジョブ実行指示が入力されていなければ（Ｓ５７：ＮＯ）、ＣＰＵ２４は、選択終了操作が行われたか否かを判別する（Ｓ６６）。選択終了操作は、第２実施形態で説明したように、第２ログイン中設定画面１０１のキャンセルボタン１０２を押す操作である。
【０１３８】
ジョブ実行指示の入力および選択終了操作が行われないままジョブ実行機能を選択する選択操作から所定時間が経過した場合（Ｓ６７：ＹＥＳ）、無操作タイムアウトとなり、ＣＰＵ２４は、ログアウト処理を実行する（Ｓ５６）。ログアウト処理の実行後、ＣＰＵ２４は、ログイン操作が行われたか否かを再び判別する（Ｓ５１）。
【０１３９】
無操作タイムアウトとなる前にジョブ実行指示が入力された場合（Ｓ５７：ＹＥＳ）、ＣＰＵ２４は、機能選択画面４１で選択されたジョブ実行機能によるジョブを実行する（Ｓ５８）。そして、ＣＰＵ２４は、図３に示されるように、表示部１３の表示をログイン中設定画面５１からジョブ実行中画面６１に切り替える。
【０１４０】
ジョブが終了すると（Ｓ５９：ＹＥＳ）、ＣＰＵ２４は、表示部１３の表示をジョブ実行中画面６１から機能選択画面４１に切り替える。
【０１４１】
また、ジョブが終了すると、ＣＰＵ２４は、実行終了後自動ログアウトがオンに設定されているか否かを判別する（Ｓ６０）。実行終了後自動ログアウトは、ジョブが終了したことに応じてログアウト処理を実行する機能である。
【０１４２】
実行終了後自動ログアウトがオンに設定されていない場合（Ｓ６０：ＮＯ）、ＣＰＵ２４は、選択終了後自動ログアウトがオンに設定されているか否かを判別する（Ｓ６１）。選択終了後自動ログアウトは、選択終了操作が行われたことに応じてログアウト処理を実行する機能である。
【０１４３】
選択終了後自動ログアウトがオンに設定されていない場合（Ｓ６１：ＮＯ）、ＣＰＵ２４は、ログアウト操作が行われたか否かを判別する（Ｓ５４）。
【０１４４】
ログアウト操作が行われていなければ（Ｓ５４：ＮＯ）、ＣＰＵ２４は、選択操作およびログアウト操作の両方が行われないままジョブの終了から所定時間が経過することによる無操作タイムアウトか否かを判別する（Ｓ５５）。
【０１４５】
無操作タイムアウトではない場合（Ｓ５５：ＮＯ）、ＣＰＵ２４は、ジョブ実行機能が選択されたか否かを判別する（Ｓ５３）。
【０１４６】
無操作タイムアウトとなる前にログアウト操作が行われるか（Ｓ５４：ＹＥＳ）、または、無操作タイムアウトとなった場合（Ｓ５５：ＹＥＳ）、ＣＰＵ２４は、ログアウト処理を実行する（Ｓ５６）。無操作タイムアウトとなる前にジョブ実行機能が選択された場合（Ｓ５３：ＹＥＳ）、ＣＰＵ２４は、ジョブ実行指示が入力されたか否かを判別する（Ｓ５７）。
【０１４７】
ログイン受付画面３１が表示部１３に表示されている状態において、ログイン操作より先に選択操作が操作部１４に受け付けられて、ジョブ実行機能が選択された場合（Ｓ６２：ＹＥＳ）、その選択に応じて、ＣＰＵ２４は、図６および図８に示されるように、表示部１３の表示をログイン受付画面３１から第２ログイン前設定画面９１（第２画面の一例）に切り替える。
【０１４８】
第２ログイン前設定画面９１が表示部１３に表示されている状態において、つまりログイン操作よりも先にジョブ実行機能が選択された後、ログイン操作が行われると（Ｓ６３：ＹＥＳ）、ＣＰＵ２４は、選択終了後自動ログアウトをオンに設定する（Ｓ６４）。
【０１４９】
そして、ＣＰＵ２４は、ログイン処理を実行する（Ｓ６５）。また、ログイン処理の実行に応じて、ＣＰＵ２４は、図６に示されるように、表示部１３の表示を第２ログイン前設定画面９１から第２ログイン中設定画面１０１（第３画面の一例）に切り替える。
【０１５０】
その後、ＣＰＵ２４は、図７Ｂに示されるように、ジョブ実行指示が入力されたか否かを判別する（Ｓ５７）。ジョブ実行指示は、図６に示されるように、操作部１４が操作されて、表示部１３に表示される実行指示画面１１１のスタートボタン１１２が押されること（実行指示操作）により入力される。
【０１５１】
ジョブ実行指示の入力および選択終了操作が行われないままログイン操作から所定時間が経過した場合（Ｓ６７：ＹＥＳ）、無操作タイムアウトとなり、ＣＰＵ２４は、ログアウト処理を実行する（Ｓ５６）。ログアウト処理の実行後、ＣＰＵ２４は、ログイン操作が行われたか否かを再び判別する（Ｓ５１）。
【０１５２】
無操作タイムアウトとなる前にジョブ実行指示が入力された場合（Ｓ５７：ＹＥＳ）、ＣＰＵ２４は、ログイン受付画面３１で選択されたジョブ実行機能によるジョブを実行する（Ｓ５９）。そして、ＣＰＵ２４は、図６に示されるように、表示部１３の表示をログイン中設定画面５１からジョブ実行中画面６１に切り替える。
【０１５３】
ジョブが終了すると（Ｓ５９：ＹＥＳ）、ＣＰＵ２４は、表示部１３の表示をジョブ実行中画面６１から第２ログイン中設定画面１０１に切り替える。そして、ＣＰＵ２４は、実行終了後自動ログアウトがオンに設定されているか否かを判別する（Ｓ６０）。
【０１５４】
実行終了後自動ログアウトがオンに設定されていない場合（Ｓ６０：ＮＯ）、ＣＰＵ２４は、選択終了後自動ログアウトがオンに設定されているか否かを判別する（Ｓ６１）。
【０１５５】
選択終了後自動ログアウトがオンに設定されている場合（Ｓ６１：ＹＥＳ）、ＣＰＵ２４は、選択終了操作が行われたか否か、つまりキャンセルボタン１０２が押されたか否かを判別する（Ｓ６６）。
【０１５６】
選択終了操作が行われないまま、ジョブ終了から所定時間が経過した場合（Ｓ６７：ＹＥＳ）、無操作タイムアウトとなり、ＣＰＵ２４は、ログアウト処理を実行する（Ｓ５６）。
【０１５７】
また、第２ログイン中設定画面１０１の表示中に選択終了操作が行われると（Ｓ６６：ＹＥＳ）、ＣＰＵ２４は、ログアウト処理を実行する（Ｓ５６）。ログアウト処理の実行に応じて、ＣＰＵ２４は、図８に示されるように、表示部１３の表示をジョブ実行中画面６１からログイン受付画面３１に切り替える。ログアウト処理の実行後、ＣＰＵ２４は、ログイン操作が行われたか否かを再び判別する（Ｓ５１）。
【０１５８】
第２ログイン前設定画面９１が表示部１３に表示されている状態では、ユーザは、ログイン操作の前に、操作部１４を操作して、ＯＫボタン９３を押すこと（設定完了操作）により、ジョブ実行機能に関する設定の完了を入力することができる。
【０１５９】
選択操作後、ログイン操作より前に設定完了操作が行われると（Ｓ６８：ＹＥＳ）、ＣＰＵ２４は、図８に示されるように、表示部１３の表示を第２ログイン前設定画面９１からログイン前実行指示画面１２１（第４画面の一例）に切り替える。ログイン前実行指示画面１２１では、メッセージ表示領域３２に「Ｌｏｇｉｎ：」の文字とログイン中のユーザのユーザＩＤが引き続き表示される。また、ログイン前実行指示画面１２１では、メッセージ表示領域３２の下側に機能の実行を指示するスタートボタン１２２が表示される。
【０１６０】
表示部１３にログイン前実行指示画面１２１が表示されている状態で、操作部１４の操作によりスタートボタン１２２が押された場合、ＣＰＵ２４は、図８に示されるように、表示部１３の表示をログイン前実行指示画面１２１からエラー画面８１に切り替える。エラー画面８１では、ユーザのログインを促すメッセージが表示される。
【０１６１】
設定完了操作後、ログイン操作が行われると（Ｓ６９：ＹＥＳ）、ＣＰＵ２４は、実行終了後自動ログアウトをオンに設定する（Ｓ７０）。
【０１６２】
そして、ＣＰＵ２４は、ログイン処理を実行する（Ｓ６５）。また、ログイン処理の実行に応じて、ＣＰＵ２４は、図８に示されるように、表示部１３の表示をログイン前実行指示画面１２１またはエラー画面８１から実行指示画面１１１に切り替える。
【０１６３】
その後、ＣＰＵ２４は、ジョブ実行指示が入力されたか否かを判別する（Ｓ５７）。
【０１６４】
ジョブ実行指示の入力および選択終了操作が行われないままログイン操作から所定時間が経過した場合（Ｓ６７：ＹＥＳ）、無操作タイムアウトとなり、ＣＰＵ２４は、ログアウト処理を実行する（Ｓ５６）。ログアウト処理の実行後、ＣＰＵ２４は、ログイン操作が行われたか否かを再び判別する（Ｓ５１）。
【０１６５】
無操作タイムアウトとなる前にジョブ実行指示が入力された場合（Ｓ５７：ＹＥＳ）、ＣＰＵ２４は、ログイン受付画面３１で選択されたジョブ実行機能によるジョブを実行する（Ｓ５９）。そして、ＣＰＵ２４は、図８に示されるように、表示部１３の表示を実行指示画面１１１からジョブ実行中画面６１に切り替える。
【０１６６】
ジョブが終了すると（Ｓ５９：ＹＥＳ）、ＣＰＵ２４は、実行終了後自動ログアウトがオンに設定されているか否かを判別する（Ｓ６０）。
【０１６７】
実行終了後自動ログアウトがオンに設定されている場合（Ｓ６０：ＹＥＳ）、ＣＰＵ２４は、ログアウト処理を実行する（Ｓ５６）。そして、ＣＰＵ２４は、表示部１３の表示をジョブ実行中画面６１からログイン受付画面３１に切り替える。ログアウト処理の実行後、ＣＰＵ２４は、ログイン操作が行われたか否かを再び判別する（Ｓ５１）。
【０１６８】
＜第３実施形態の作用効果＞
以上のように、複数種類のジョブのうちの一の種類のジョブを選択する選択操作が受付部に受け付けられる前は、ログイン受付画面３１が表示部１３に表示されている。ログイン受付画面３１の表示中に選択操作が操作部１４に受け付けられると、ログイン受付画面３１と異なる第２ログイン前設定画面９１が表示部１３に表示される。
【０１６９】
ログイン受付画面３１の表示中にログイン操作が行われた場合、つまり選択操作が行われる前にログイン操作が行われた場合、ログイン処理の実行後、ログアウト操作が行われたことに応じてログアウト処理が実行される。ログイン処理では、動作モードが第１モードから第２モードに切り替えられる。ログアウト処理では、動作モードが第２モードから第１モードに切り替えられる。
【０１７０】
選択操作が行われる前にログイン操作が行われるのは、ユーザが複数種類のジョブを連続して実行する意図を有している場合が多いと考えられる。そのため、選択操作が行われる前にログイン操作が行われた場合には、ログアウト操作が行われるまで、ログアウト処理が実行されず、ＭＦＰ１の動作モードが受付部に実行指示操作を受付可能な第２モードに維持される。よって、ユーザの意図に合わないタイミングで動作モードが第２モードから受付部に実行指示操作を受付不能な第１モードに切り替わることを抑制でき、ユーザが複数種類のジョブを連続して実行することが可能となる。
【０１７１】
第２ログイン前設定画面９１の表示中にログイン操作が操作部１４に受け付けられた場合、つまり選択操作が行われた後であって設定完了操作が行われる前にログイン操作が行われた場合、表示部１３の表示が第２ログイン前設定画面９１から第２ログイン中設定画面１０１に切り替わる。そして、ログイン処理の実行後、実行指示操作に応じてジョブが実行され、そのジョブが終了しても、動作モードが第２モードに維持され、第２ログイン中設定画面１０１の表示中に選択終了操作が操作部１４に受け付けられたことに応じてログアウト処理が実行される。
【０１７２】
選択操作が行われた後にログイン操作が行われる場合にも、ユーザが複数種類のジョブを連続して実行する意図を有している場合がある。そのため、第２ログイン中設定画面１０１の表示中に選択終了操作が行われることにより、ユーザのジョブを実行しない意図が示されるまで、ログアウト処理が実行されず、ＭＦＰ１の動作モードが第２モードに維持される。よって、ユーザが複数種類のジョブを連続して実行することが可能でありながら、ユーザのジョブを実行しない意図が示された場合には、ログアウト操作なくログアウト処理が実行されるので、ログアウト忘れを防止することができる。
【０１７３】
第２ログイン中設定画面１０１の表示中に設定完了操作が操作部１４に受け付けられた場合、つまり、選択操作および設定完了操作が行われた後にログイン操作が行われた場合、表示部１３の表示が第２ログイン中設定画面１０１からログイン前実行指示画面１２１に切り替わる。そして、ログイン処理の実行後、実行指示操作に応じてジョブが実行され、そのジョブが終了したことに応じてログアウト処理が実行される。
【０１７４】
選択操作が行われ、さらに設定完了操作までが行われた後にログイン操作が行われるのは、ユーザが単一のジョブを実行する意図を有している可能性が高いと考えられる。そのため、選択操作および設定完了操作が行われた後にログイン操作が行われた場合には、ジョブの実行が終了したことに応じてログアウト処理が実行されて、ＭＦＰ１の動作モードが第２モードから第１モードに切り替えられる。よって、ログアウト操作なくログアウト処理が実行されるので、ログアウト忘れを防止することができる。その結果、ログイン操作を行ったユーザ以外の他者によるジョブの実行を抑制することができる。
【０１７５】
＜変形例＞
以上、本発明のいくつかの実施形態について説明したが、本発明は、さらに他の形態で実施することもできる。
【０１７６】
たとえば、ログイン操作では、ＩＣカード２が使用されて、ＩＣカード２がＮＦＣ通信部１５にかざされることにより、ＩＣカード２からカードＩＤが読み取られて、カードＩＤに対応するユーザＩＤがＣＰＵ２４に取得されるとしたが、操作部１４の操作によりユーザＩＤが入力されてもよい。
【０１７７】
また、ログアウト操作において、ＩＣカード２が使用されずに、操作部１４の操作によりログアウト指示が入力されてもよい。
【０１７８】
また、前述の実施形態では、ＣＰＵ２４が各処理を実行する場合について説明した。しかしながら、ＡＳＩＣ２１が複数のＣＰＵを備え、複数のＣＰＵが協働して各処理を実行してもよい。
【０１７９】
その他、前述の構成には、特許請求の範囲に記載された事項の範囲で種々の設計変更を施すことが可能である。
【符号の説明】
【０１８０】
１：ＭＦＰ
１１：画像形成部
１２：画像読取部
１３：表示部
１４：操作部（受付部）
１５：ＮＦＣ通信部（受付部、無線通信部）
２４：ＣＰＵ（制御部）
３１：ログイン受付画面
７１：ログイン前設定画面
９１：第２ログイン前設定画面
１０１：第２ログイン中設定画面
１２１：ログイン前実行指示画面
【図１】
2018088623.tif 000003
【図２】
2018088623.tif 000004
【図３】
2018088623.tif 000005
【図４】
2018088623.tif 000006
【図５】
2018088623.tif 000007
【図６】
2018088623.tif 000008
【図７Ａ】
2018088623.tif 000009
【図７Ｂ】
2018088623.tif 000010
【図８】
2018088623.tif 000011